(57)【特許請求の範囲】
【請求項１】
ピニオンギヤが装着されて、前記ピニオンギヤを回転可能に支持する遊星キャリアのキャリアカップにおいて、
キャリア軸が装着されるキャリアホール及びピニオンギヤが装着される複数のピニオンホールが形成されているキャリア板と、
前記キャリア板の一面から垂直に延長されている複数のレッグと、を含み、
前記レッグは、その半径方向の厚さが変化し、
前記レッグの内周面は、設定された形状の曲面を含み、
前記設定された形状の曲面は、前記曲面及びピニオンギヤの間の間隔が一定に維持されるように、前記ピニオンギヤの外周面の一部分を囲むピニオン装着溝を含み、
前記ピニオンギヤの外周面の一部分は、前記キャリア板における径方向最も外側位置となるピニオンギヤの外周面を含み、前記ピニオン装着溝は前記キャリア板における径方向外側位置から前記ピニオンギヤの外周面の一部分を囲むことを特徴とする遊星キャリアのキャリアカップ。
【請求項２】
前記遊星キャリアは、第１、２ピニオンギヤを含むダブルピニオン遊星キャリアであって、
前記設定された形状の曲面は、
第１ピニオンギヤの外周面の一部分を囲む第１ピニオン装着溝と、
第２ピニオンギヤの外周面の一部分を囲む第２ピニオン装着溝と、を含むことを特徴とする請求項１に記載の遊星キャリアのキャリアカップ。
【請求項３】
前記遊星キャリアは、第１ピニオンギヤを含むシングルピニオン遊星キャリアであって、
前記設定された形状の曲面は、
第１ピニオンギヤの外周面の一部分を囲む第１ピニオン装着溝を含むことを特徴とする請求項１に記載の遊星キャリアのキャリアカップ。
【請求項４】
前記レッグは、少なくとも３つであることを特徴とする請求項１乃至３のいずれかに記載の遊星キャリアのキャリアカップ。
【請求項５】
前記レッグの両端部の厚さは互いに異なることを特徴とする請求項１乃至４のいずれかに記載の遊星キャリアのキャリアカップ。
【発明の詳細な説明】
【技術分野】
【０００１】
本発明は、遊星キャリアに係り、より詳細には、レッグの内周面の形状を変更することによって、遊星キャリアの強度を補強し、自動変速機で発生する騒音を減少させた、遊星キャリアのキャリアカップに関する。
【背景技術】
【０００２】
自動変速機は、車両の走行速度やスロットルバルブの開度率などの車両の走行状態によって変速機制御ユニットが少なくとも１つ以上のソレノイドバルブを駆動させて油圧を制御し、目標変速段への変速が自動的に行われるようにするものである。目標変速段への変速が自動的に行われるように、自動変速機は、少なくとも１つ以上の遊星ギヤセット（ｐｌａｎｅｔａｒｙ  ｇｅａｒ  ｓｅｔ）を含む。このような遊星ギヤセットは、サンギヤ（ｓｕｎ  ｇｅａｒ）、リングギヤ（ｒｉｎｇ  ｇｅａｒ）、そして遊星キャリア（ｐｌａｎｅｔ  ｃａｒｒｉｅｒ）をその作動部材として含み、遊星キャリアには、サンギヤ及びリングギヤにギヤ結合する複数のピニオンギヤ（ｐｉｎｉｏｎ  ｇｅａｒ）が連結されている。
【０００３】
また、遊星ギヤセットは、単純遊星ギヤセット（ｓｉｍｐｌｅ  ｐｌａｎｅｔａｒｙ  ｇｅａｒ  ｓｅｔ）及び複合遊星ギヤセット（ｃｏｍｐｏｕｎｄ  ｐｌａｎｅｔａｒｙ  ｇｅａｒ  ｓｅｔ）に区分され、単純遊星ギヤセットは、シングルピニオン遊星ギヤセット（ｓｉｎｇｌｅ  ｐｉｎｉｏｎ  ｐｌａｎｅｔａｒｙ  ｇｅａｒ  ｓｅｔ）及びダブルピニオン遊星ギヤセット（ｄｏｕｂｌｅ  ｐｉｎｉｏｎ  ｐｌａｎｅｔａｒｙ  ｇｅａｒ  ｓｅｔ）に区分される。
【０００４】
シングルピニオン遊星ギヤセットは、１種類のピニオンギヤが前記サンギヤ及びリングギヤに全てギヤ結合する遊星ギヤセットであり、ダブルピニオン遊星ギヤセットは、２種類のピニオンギヤが互いにギヤ結合して、そのうちの１つのピニオンギヤはサンギヤに結合し、他の１つのピニオンギヤはリングギヤに結合する遊星ギヤセットである。従来の遊星キャリアは、キャリアカップ（ｃａｒｒｉｅｒ  ｃｕｐ）及びキャリアカバー（ｃａｒｒｉｅｒ  ｃｏｖｅｒ）を含む。
【０００５】
キャリアカバーの中央には、キャリアホール（ｃａｒｒｉｅｒ  ｈｏｌｅ）が形成され、キャリアカップにも、キャリアホールに対応するキャリアホールが形成されている。したがって、キャリアホールに挿入されるキャリア軸（ｃａｒｒｉｅｒ  ｓｈａｆｔ）によってキャリアカップ及びキャリアカバーが連結される。また、キャリアカバー及びキャリアカップのキャリアホールの周辺に複数のピニオンホールが形成されて、ピニオン軸（ｐｉｎｉｏｎ  ｓｈａｆｔ）がピニオンホールに挿入される。ピニオンギヤは、ピニオン軸に回転可能に装着される。
【０００６】
キャリアカップは、キャリア板（ｃａｒｒｉｅｒ  ｐｌａｔｅ）及びキャリア板に対して垂直に形成されている複数のレッグ（ｌｅｇ）を含む。レッグは、円弧形状に形成されて、ピニオンギヤの外周面の一部分を囲むように構成されている。従来の遊星キャリアのキャリアカップによれば、ピニオンギヤの外周面の一部分を囲むレッグが、ピニオンギヤの外周面の形状とは関係なく一定の厚さを有する円弧形状からなっていたため、ピニオンギヤの外周面及びレッグの内周面の間の間隔が一定でなかった。
【０００７】
したがって、ピニオン軸がキャリアカップ及びキャリアカバーに垂直に装着されていないチルトエラー（ｔｉｌｔ  ｅｒｒｏｒ）が大きく、このようなチルトエラーは、１つのレッグに２つ以上のピニオンギヤが装着されるダブルピニオン遊星キャリアでより大きくなった。遊星ギヤセットが回転する場合に、チルトエラーは、自動変速機で発生する騒音の主な原因となった。また、レッグの厚さが一定であったため、レッグの強性を確保するのが困難な問題点があった。
【特許文献１】特開２００２−２４３０２５号公報
【発明の開示】
【発明が解決しようとする課題】
【０００８】
本発明は、上述のような問題点を解決するためになされたものであって、本発明の目的は、レッグ及びピニオンギヤの間の間隔を一定にし、レッグの厚さを部分的に増加させることによって、遊星キャリアの強度を補強し、自動変速機で発生する騒音を減少させた、遊星キャリアのキャリアカップを提供することにある。
【課題を解決するための手段】
【０００９】
上記目的を達成するための本発明による遊星キャリアのキャリアカップは、ピニオンギヤが装着されて、前記ピニオンギヤを回転可能に支持する遊星キャリアのキャリアカップにおいて、キャリア軸が装着されるキャリアホール及びピニオンギヤが装着される複数のピニオンホールが形成されているキャリア板と、前記キャリア板の一面から垂直に延長されている複数のレッグと、を含み、前記レッグは、その半径方向の厚さが変化し、前記レッグの内周面は、設定された形状の曲面を含み、前記設定された形状の曲面は、前記曲面及びピニオンギヤの間の間隔が一定に維持されるように、前記ピニオンギヤの外周面の一部分を囲むピニオン装着溝を含み、前記ピニオンギヤの外周面の一部分は、前記キャリア板における径方向最も外側位置となるピニオンギヤの外周面を含み、前記ピニオン装着溝は前記キャリア板における径方向外側位置から前記ピニオンギヤの外周面の一部分を囲むことを特徴とする。上記遊星キャリアのキャリアカップにおいては、前記遊星キャリアは、第１、２ピニオンギヤを含むダブルピニオン遊星キャリアであって、前記設定された形状の曲面は、第１ピニオンギヤの外周面の一部分を囲む第１ピニオン装着溝と、第２ピニオンギヤの外周面の一部分を囲む第２ピニオン装着溝と、を含むことが好ましく、また、前記遊星キャリアは、第１ピニオンギヤを含むシングルピニオン遊星キャリアであって、前記設定された形状の曲面は、第１ピニオンギヤの外周面の一部分を囲む第１ピニオン装着溝を含むことが好適であり、さらには、前記レッグは、少なくとも３つであることが好ましく、そして、前記レッグの両端部の厚さは互いに異なることが好ましい。
【発明の効果】
【００１０】
本発明による遊星キャリアのキャリアカップによれば、ピニオンギヤの外周面とレッグ内周面との間隔が一定に維持されるため、ピニオンギヤが安定的に遊星キャリアに装着されて、チルトエラーが減少し、自動変速機で発生する騒音を減少させることができる。また、レッグ内周面がピニオンギヤの外周面に接近しているので、レッグの厚さを部分的に増加させることができ、遊星キャリアの強度が確保される。
【発明を実施するための最良の形態】
【００１１】
以下、本発明の好ましい実施形態としての実施例を添付した図面に基づいて詳細に説明する。
【実施例】
【００１２】
図１は本実施例による遊星キャリアのキャリアカップの斜視図であり、図２は本実施例による遊星キャリアのキャリアカップの正面図である。本実施例による遊星キャリアのキャリアカップは、キャリア板１００及び複数のレッグ１１０を含む。キャリア板１００は、円形に形成され、その中央にキャリア軸（図示せず）装着のためのキャリアホール１４０が形成される。キャリアホール１４０の周辺に第１、２ピニオン軸（図示せず）装着のための第１、２ピニオンホール１２０、１３０が形成されている。上述のキャリア軸は、キャリア板１００に形成されたキャリアホール１４０及びキャリアカバー（図示せず）に形成されたキャリアホール（図示せず）に挿入され、キャリアカップ及びキャリアカバーを連結する。また、第１、２ピニオン軸は、第１、２ピニオンギヤ（図示せず）を各々回転可能に支持し、第１、２ピニオンギヤは、第１、２ピニオン軸を中心にキャリアカップと相対回転する。
【００１３】
本実施例による遊星キャリアのキャリアカップでは、遊星キャリアがダブルピニオン遊星キャリアであることを例示したが、本発明はこれに限定されず、シングルピニオン遊星キャリアにも適用される。即ち、キャリア板１００に第１ピニオン軸装着のための複数の第１ピニオンホール１２０が形成されてもよい。レッグ１１０は、キャリア板１００の一面から垂直に延長している。レッグ１１０の個数は少なくとも３つ以上であるのが好ましい。レッグ１１０の外周面は、円弧状に形成され、レッグ１１０の内周面は、設定された形状の曲面を含む。設定された形状の曲面は、曲面とピニオンギヤの間隔が一定に維持されるように、ピニオンギヤの外周面の一部分を囲むように構成されている。
【００１４】
ダブルピニオン遊星キャリアに適用される場合には、上記設定された形状の曲面は、第１、２ピニオン装着溝１６０、１５０を含む。第１ピニオン装着溝１６０は、第１ピニオンギヤの外周面の一部分を囲むように、第１ピニオンギヤの半径とほぼ同一な凹んだ円弧形状であり、第２ピニオン装着溝１５０は、第２ピニオンギヤの外周面の一部分を囲むように、第２ピニオンギヤの半径とほぼ同一の凹んだ円弧形状である。したがって、この実施例による遊星キャリアのキャリアカップによれば、上記設定された形状の曲面は、互いに異なる半径を有する凹んだ２つの円弧が連結された不連続的な曲面に形成される。上記設定された形状の曲面は、レッグ１１０に定着されるピニオンギヤの個数及び半径によって当業者が容易に考えつくことができる。
【００１５】
また、シングルピニオン遊星キャリアに適用される実施例の場合には、上記設定された形状の曲面は、第１ピニオン装着溝１６０を含み、第１ピニオン装着溝１６０は、第１ピニオンギヤの外周面の一部分を囲むように、第１ピニオンギヤの半径とほぼ同一の凹んだ円弧形状である。さらには、１つのレッグ１１０に複数の第１ピニオン装着溝１６０が形成されることもある。
【００１６】
上述のとおり、曲面及びピニオンギヤの間の間隔が一定に維持されるようにレッグ１１０が形成される場合、レッグ１１０の両端部の厚さ（ｔ１、ｔ２）が互いに異なる。さらには、レッグ１１０の半径方向の厚さが連続的または不連続的に変化することもある。このような場合には、従来の遊星キャリアのキャリアカップに比べて、レッグ１１０の厚さが部分的または全体的に増加するようになり、それによって、レッグ１１０の強度が補強される。
【００１７】
一般に、レッグ１１０の内周面は、ピニオンギヤの外周面に非常に近接して位置する。しかし、従来の遊星キャリアのキャリアカップによれば、レッグ及びピニオンギヤの間の間隔が離れている部分があるので、ピニオン軸がキャリアカップ及びキャリアカバーに垂直に装着されない可能性もあった。しかし、本実施例による遊星キャリアのキャリアカップによれば、レッグ１１０及びピニオンギヤの間の間隔が一定であるため、ピニオン軸がキャリア板１００及びキャリアカバーに垂直でなければ、ピニオン軸が装着されない。したがって、遊星キャリア内でのチルトエラーが減少するようになる。
【００１８】
図３（ａ）乃至（ｃ）は本実施例による遊星キャリアのキャリアカップ及び従来の遊星キャリアのキャリアカップで発生する騒音を示したグラフである。図３（ａ）乃至（ｃ）で、点線は従来の遊星キャリアのキャリアカップを使用する自動変速機で発生する騒音の大きさを示したものであり、実線は本実施例による遊星キャリアのキャリアカップを使用する自動変速機で発生する騒音の大きさを示したものである。図３（ａ）乃至（ｃ）に示す通り、本実施例による遊星キャリアのキャリアカップを使用する自動変速機で発生する騒音の大きさは、従来の遊星キャリアのキャリアカップを使用する自動変速機で発生する騒音の大きさより全領域で５〜７ｄＢＡ減少する。即ち、本実施例による遊星キャリアのキャリアカップは、チルトエラーを減少させ、自動変速機で発生する騒音を減少させる。
【００１９】
以上、本発明の好ましい実施形態としての実施例について説明したが、本発明は上記実施例に限定されず、本発明の属する技術範囲を逸脱しない範囲での全ての変更が含まれる。
【図面の簡単な説明】
【００２０】
【図１】本発明による遊星キャリアのキャリアカップの斜視図である。
【図２】本発明による遊星キャリアのキャリアカップの正面図である。
【図３】（ａ）乃至（ｃ）は、本発明による遊星キャリアのキャリアカップ及び従来の遊星キャリアのキャリアカップで発生する騒音を示したグラフである。
【符号の説明】
【００２１】
１００  キャリア板
１１０  レッグ
１２０、１３０  第１、２ピニオンホール
１４０  キャリアホール
１５０、１６０  第２、１ピニオン装着溝
【図１】
0005234754.tif 000002
【図２】
0005234754.tif 000003
【図３】
0005234754.tif 000004